(57)【要約】【課題】  プリンタ装置１０００の印刷出力する地図の利用価値を大きくすること。【解決手段】  地図情報格納部１０１は、検索対象となる目的地の周辺を含む地図情報、及び該目的地を特定する特定情報とを格納し、制御部１０４は、目的地の検索要求を受け入れると、地図情報格納部１０１から上記目的地の地図情報、及び特定情報とを読み出して、該特定情報を符号化し、上記地図情報に合成して出力し、二次元バーコード読み取り部２０１は、符号化された目的地の特定情報を読み込んで復号化し、端末位置情報取得部２０３は、携帯端末装置の現在位置を取得し、制御部２０５は、復号化された目的地の特定情報と、携帯端末装置の現在位置に基づいて目的地に至る距離と方角とを算出して出力する。【選択図】  図１
2008249898.tif 000002
【特許請求の範囲】
【請求項１】
目的地周辺の地図情報を出力する地図情報出力システムにおいて、
目的地を特定する目的地条件を入力する目的地条件入力部と、
地図情報及び、該地図上に存在する複数の場所各々の場所に対応させて特定情報を格納する地図情報格納部と、
前記目的地条件入力部が前記目的地条件の入力を受けると、前記地図情報格納部の前記特定情報と比較し、前記目的地条件に関連する場所を含む所定範囲の所定範囲地図情報及び、該所定範囲にある１以上の場所の特定情報を符号化した特定情報符号データを作成し、所定範囲地図情報と特定情報符号データとを合成した合成地図データを出力する制御部とを備えることを特徴とする地図情報出力システム。
【請求項２】
請求項１記載の地図情報出力システムにおいて、携帯端末装置に前記特定情報符号データを読み込んで復号化する特定情報復号化部と、
前記携帯端末装置は現在地情報を取得する端末位置情報取得部と、
前記携帯端末装置は、前記特定情報復号化部により復号化された目的地の特定情報と、前記端末位置情報取得部が取得する自己の現在地に基づいて前記目的地に至る距離と方角とを算出して出力する端末制御部とを備えることを特徴とする請求項１に記載の地図情報出力システム。
【請求項３】
請求項２記載の地図情報出力システムにおいて、前記合成地図データを出力する制御部は、更に、複数個の目的地の特定情報を符号化し、前記地図情報に合成して出力し、前記端末制御部は、更に、前記複数個の目的地に至る距離と方角とを算出し、前記目的地に至る距離の小さい順に配列して出力することを特徴とする地図情報出力システム。
【請求項４】
請求項２記載の地図情報出力システムにおいて、前記合成地図データを出力する制御部は、更に、請求項２に記載の携帯端末装置から該携帯端末装置の現在地情報を取得し、前記目的地の地図情報に前記現在地情報を合成し、前記該携帯端末装置へ送信することを特徴とする地図情報出力システム。
【請求項５】
前記目的地の特定情報には、該目的地の住所情報、及びランドマーク情報の少なくとも一方が含まれることを特徴とする請求項１から請求項４までの何れか一項に記載の地図情報出力システム。
【請求項６】
前記符号化には、二次元配列されたバーコードが用いられることを特徴とする請求項１から請求項４までの何れか一項に記載の地図情報出力システム。
【発明の詳細な説明】
【技術分野】
【０００１】
本発明は、地図情報を出力する地図情報出力システムに関する。
【背景技術】
【０００２】
従来、地図情報の取得を可能にする画像形成装置（例えば特許文献１参照）では、その内部に目的地データベースと、地図データベースとを備え、利用者から目的地を検索項目とする地図データの検索要求を受け入れると、上記２つのデータべスを検索し、双方から目的地を検出できたときに、各々の検索データを合成し、検索結果として記録紙に印刷出力していた。
【特許文献１】特開平１０−０５５３７０号公報
【発明の開示】
【発明が解決しようとする課題】
【０００３】
しかしながら、上記従来の地図情報の取得を可能とする画像形成装置では、その検索結果は、利用者の所在地とは全く無関係な地図情報であった。従って、利用者が、その地図に基づいて目的地を探す場合において、自分の位置と目的地との位置関係を直ぐには把握することが出来なかったため、取得した地図の利用価値が低減してしまうという解決すべき課題が残されていた。
【課題を解決するための手段】
【０００４】
本発明は、地図情報出力システムであって、検索対象となる目的地の周辺を含む地図情報、及び該目的地を特定する特定情報を格納する地図情報格納部と、上記目的地の検索要求を受け入れると、上記地図情報格納部から上記目的地の地図情報、及び特定情報とを読み出して、該特定情報を符号化し、上記地図情報に合成して出力する制御部とを備える画像形成装置と、上記符号化された目的地の特定情報を読み込んで復号化する特定情報復号化部と、自己の現在地を取得する端末位置情報取得部と、上記特定情報復号化部により復号化された目的地の特定情報と、上記端末位置情報取得部が取得する自己の現在地に基づいて上記目的地に至る距離と方角とを算出して出力する制御部とを備える携帯端末装置を含むことを主要な特徴とする。
【発明の効果】
【０００５】
画像形成装置が目的地の地図情報に符号化した特定情報を合成して出力する制御部を備え、携帯端末装置が、自己の現在地を取得する端末位置情報取得部と、上記画像形成装置の出力から特定情報を読み取って復号化し、復号化された目的地の特定情報と、上記端末位置情報取得部が取得する自己の現在地に基づいて上記目的地に至る距離と方角とを算出して出力する制御部を備えるので、利用者が、その地図に基づいて目的地を探す場合において、自分の位置と目的地との位置関係を直ぐに把握することが可能になり、画像形成装置の印刷出力する地図の利用価値が大きくなるという効果を得る。
【発明を実施するための最良の形態】
【０００６】
以下、本発明の一実施形態について図を用いて詳細に説明する。
【実施例１】
【０００７】
〈構成〉の説明
図１は、実施例１の地図情報出力システムのブロック構成図である。
図に示すように実施例１の地図情報出力システム５０００は画像形成装置としてのプリンタ装置１０００と携帯端末装置２０００とを含む。
【０００８】
プリンタ装置１０００は、操作パネル１００と、地図情報格納部１０１と、二次元バーコード変換部１０２と、出力部１０３と、制御部１０４とを備える。
【０００９】
操作パネル１００は、検索キー入力部１００ａと、表示部１００ｂとを有し、操作者からの要求事項を受け入れて、更に、操作者に検索結果等の表示を行い、操作者とプリンタ装置１０００との間でマン・マシンインタフェースの役割を分担する部分である。
【００１０】
ここで検索キー入力部１００ａは、操作者が検索処理を行う際に情報入力を行うためのスイッチやボタン等を含むキーである。表示部１００ｂは、操作者に検索結果等の表示を行うＬＣＤ（液晶表示装置）などによって構成される表示パネルである。
【００１１】
地図情報格納部１０１は、その内部に、住所情報テーブル１０１ａと、ランドマーク情報テーブル１０１ｂと、地図データ１０１ｃとを有し、予め地図情報を格納する不揮発性のメモリである。
【００１２】
ここで住所情報テーブル１０１ａと、ランドマーク情報テーブル１０１ｂの内容について図を用いて説明する。
図２は、住所情報テーブルの説明図である。
図に示すように、住所情報テーブル１０１ａは、住所１０１ａ１と、位置座標１０１ａ２とから構成される。住所１０１ａ１は、住所を示すユニークな値である。位置座標１０１ａ２は、緯度、経度から構成される住所１０１ａ１に対応する座標である。
【００１３】
図３は、ランドマーク情報テーブルの説明図である。
図に示すように、ランドマーク情報テーブル１０１ｂは、ランドマーク名１０１ｂ１と、位置座標１０１ｂ２と、住所１０１ｂ３とから構成される。ランドマーク名１０１ｂ１はランドマークの名前を示すユニークな値である。位置座標１０１ｂ２は、緯度、経度から構成されるランドマーク名１０１ｂ１に対応する座標である。住所１０１ｂ３は、ランドマーク名１０１ｂ１に対応する住所である。
【００１４】
図１に戻って、地図情報出力システム５０００の構成部分の説明を続ける。
二次元バーコード変換部１０２は、任意の数のランドマークについて、ランドマーク名１０１ｂ１（図３）に対応する、位置座標１０１ｂ２（図３）と住所１０１ｂ３（図３）の情報を二次元配列されたバーコード化する変換部である。
【００１５】
出力部１０３は、表示部１００ｂで表示された検索結果と、二次元バーコード変換部１０２により変換された位置座標１０１ｂ２（図３）、及び住所１０１ｂ３（図３）の二次元配列されたバーコードが制御部１０２によって合成されたものを印刷出力する部分である。
【００１６】
制御部１０４は、図示しない、プログラムＲＯＭとマイクロプロセッサとを含み、プログラムＲＯＭに予め格納されている制御プログラムをマイクロプロセッサが実行し、プリンタ装置１０００全体を制御する部分である。特に本実施例では、データ線路で接続される上記各部分を制御して本実施例の目的を達成させるコンピュータ制御手段である。
【００１７】
携帯端末装置２０００は、二次元バーコード読み取り部２０１と、二次元バーコード変換部２０２と、端末位置情報取得部２０３と、表示部２０４と、制御部２０５とを備える。
【００１８】
二次元バーコード読み取り部２０１は、プリンタ装置１０００の出力部１０３から印刷出力された印刷物上の二次元配列されたバーコードを読み取る部分である。
【００１９】
二次元バーコード変換部２０２は、二次元バーコード読み取り部２０１で読み取った二次元配列されたバーコードをテキストデータに変換する部分である
【００２０】
端末位置情報取得部２０３は、ＧＰＳ等を利用することにより、その時点での携帯端末装置２０００の位置情報を取得する部分である。
【００２１】
表示部２０４は、二次元バーコード変換部２０２で変換されたデータと端末位置情報取得部２０３で取得された携帯端末装置２０００の位置情報から計算された周辺情報を操作者に表示を行うＬＣＤなどから構成される表示パネルである。
【００２２】
制御部２０５は、図示しない、プログラムＲＯＭとマイクロプロセッサとを含み、プログラムＲＯＭに予め格納されている制御プログラムをマイクロプロセッサが実行し、携帯端末装置２０００全体を制御する部分である。特に本実施例では、データ線路で接続される上記各部分を制御して本実施例の目的を達成させるコンピュータ制御手段である。
以上説明したプリンタ装置１０００、及び携帯端末装置２０００は以下のように動作する。
【００２３】
〈動作〉の説明
図４は、実施例１のプリンタ装置の動作フローチャートである。
操作者が検索キーとして住所を入力する際のプリンタ装置１０００の動作について図１を併用し、更に必要な図面の説明を挿入しながらステップＳ１−１からステップＳ１−９までステップ順に詳細に説明する。
【００２４】
ステップＳ１−１
操作者が検索キー入力部１００ａを用いて検索対象の住所を入力する。ここで、入力画面の一例について説明する。
図５は、入力画面の説明図である。
操作者が図中の表示に基づいて検索する住所の都道府県名、市町村名、町名、番地名を入力する。
【００２５】
ステップＳ１−２
制御部１０４は、入力された住所と、住所情報テーブル１０１ａ１（図２）内の住所とを照合し、目的地として入力された住所の位置座標１０１ａ２（図２）を取得する。
【００２６】
ステップＳ１−３
制御部１０４は、目的地の位置座標１０１ａ２（図２）を中心とした任意の縮尺の地図を地図データ１０１ｃから検索する。
【００２７】
ステップＳ１−４
制御部１０４は、検索結果を表示部１００ｂに表示する。表示結果の一例について説明する。
図６は、検索結果表示例の説明図である。
図に示すように目的地の位置座標１０１ａ２（図２）を中心とした任意の縮尺の地図が表示部１００ｂに表示される。
【００２８】
ステップＳ１−５
操作者が図６の縮尺入力バーにより縮尺を変更した場合には、ステップＳ１−３へ戻って地図情報の再検索が実行され、縮尺を変更しない場合にはステップＳ１−６へ進む。
【００２９】
ステップＳ１−６
操作者が所望する地図が検索され、図６の印刷実行ボタンが押下されると、制御部１０４は、地図に含まれる任意の数のランドマークの中で目的地に近いものから順にランドマーク情報をランドマーク情報テーブル１０１ｂ（図３）から検索する。このステップについては後に再度詳細に説明する。
【００３０】
ステップＳ１−７
制御部１０４は、検索が終了すると初めに検索キー入力部１００ａから入力された住所１０１ａ１（図２）とそれに対応する位置座標１０１ａ２（図２）と、ランドマーク情報とを二次元バーコード変換部１０２へ送出する。
【００３１】
ステップＳ１−８
制御部１０４は、二次元バーコード変換部１０２から二次元配列されたバーコードを受け入れて、表示部１００ｂに表示された地図に、地図上に存在するランドマーク名をそれぞれの位置座標に追記したものと、二次元配列されたバーコードとを合成して印刷データを生成する。
【００３２】
ステップＳ１−９
制御部１０４は、印刷データを出力部１０３に送出して印刷実行させ、フローを終了する。ここで印刷出力される地図について説明する。
図７は、印刷出力される地図の説明図である。
図に示すように印刷出力される地図には二次元配列されたバーコードが表記されている。
【００３３】
図８は、実施例１のランドマーク検索処理の動作フローチャートである。
上記ステップＳ１−６の詳細な動作について図１を併用しながらステップＳ１−１１からステップＳ１−１３までステップ順に詳細に説明する。
【００３４】
ステップＳ１−１１
制御部１０４は、ランドマーク情報テーブル１０１ｂ（図３）における位置座標１０１ｂ２（図３）の情報を利用して指定した地図の範囲内に含まれるランドマークを抽出する。
【００３５】
ステップＳ１−１２
制御部１０４は、抽出したランドマークについて目的地からの距離を計算する。
【００３６】
ステップＳ１−１３
目的地から距離の近い順に、任意の数のランドマークのランドマーク情報テーブル１０１ｂ（図３）に含まれる情報全てを抽出してフローを終了する。
【００３７】
図９は、実施例１の携帯端末装置の動作フローチャートである。
操作者が携帯端末装置２０００を用いてプリンタ装置１０００が印刷出力した地図から情報を読み取る動作について図１を併用し、ステップＳ１−２１からステップＳ１−２６までステップ順に説明する。
【００３８】
ステップＳ１−２１
二次元バーコード読み取り部２０１は、印刷出力された地図から二次元配列されたバーコードを読み込む。
【００３９】
ステップＳ１−２２
二次元バーコード変換部２０２は、二次元配列されたバーコードをテキストデータに変換する。
【００４０】
ステップＳ１−２３
制御部２０５は、任意の数のランドマーク情報をテキストデータから抽出する。
【００４１】
ステップＳ１−２４
端末位置情報取得部２０３は、緯度、経度より構成される現在の携帯端末装置２０００の位置座標を取得する。
【００４２】
ステップＳ１−２５
制御部２０５は、取得した現在の携帯端末装置２０００の位置座標に基づいて、現在の携帯端末装置２０００の位置からの目的地、各ランドマークへの方角、距離を計算する。
【００４３】
ステップＳ１−２６
計算が終了したら、制御部２０５は、表示部２０４に、現在の携帯端末装置２０００の位置から目的地への方角と目的地までの距離、各ランドマークの情報（ランドマーク名、住所、現在位置からランドマークへの方角とランドマークまでの距離）を表示してフローを終了する。ここでの表示例について説明する。
【００４４】
図１０は現在地から目的地までの距離・方角表示の説明図である。
図に示すように、目的地までの距離・方角表示の一例として各目的地毎の距離・方角が表示される。
【００４５】
〈効果〉の説明
以上説明したように、本実施例によれば、目的地の住所を指定して検索された地図が印刷される。その地図には目的地周辺のランドマークと地図内のランドマーク情報を変換した二次元配列されたバーコードが記載され、これを携帯端末装置で取り込むことにより、携帯端末装置に各ランドマークの現在地からの方角、距離が表示される。その結果、目的地を目指して進行中に、その途中にあるランドマークを目印にすることが出来るのでプリンタ装置１０００が印刷出力する地図の利用価値が大きくなるという効果を得る。
【実施例２】
【００４６】
〈構成〉の説明
図１１は、実施例２の地図情報出力システムのブロック構成図である。
図に示すように実施例２の地図情報出力システム６０００は画像形成装置としてのプリンタ装置３０００と携帯端末装置４０００とを含む。
【００４７】
プリンタ装置３０００は、操作パネル１００と、地図情報格納部１０１と、二次元バーコード変換部１０２と、出力部１０３と、携帯端末情報受信部３０１と、地図情報送信部３０２と、制御部３０３とを備える。以下に実施例１と相違する部分のみについて説明し、実施例１と同様の部分については実施例１と同一の符号を付して説明を省略する。
【００４８】
携帯端末情報受信部３０１は、携帯端末装置４０００から送信される情報を図示しないネットワークなどを介して受信する部分である。地図情報送信部３０２は、地図情報を携帯端末装置４０００へ図示しないネットワークなどを介して送信する送信部である。
【００４９】
制御部３０３は、図示しない、プログラムＲＯＭとマイクロプロセッサとを含み、プログラムＲＯＭに予め格納されている制御プログラムをマイクロプロセッサが実行し、プリンタ装置３０００全体を制御する部分である。特に本実施例では、データ線路で接続される上記各部分を制御して本実施例の目的を達成させるコンピュータ制御手段である。
【００５０】
携帯端末装置４０００は、二次元バーコード読み取り部２０１と、二次元バーコード変換部２０２と、端末位置情報取得部２０３と、表示部２０４と、携帯端末情報送信部４０１と、地図情報受信部４０２と、制御部４０３とを備える。以下に実施例１と相違する部分のみについて説明し、実施例１と同様の部分には実施例１と同一の符号を付して説明を省略する。
【００５１】
携帯端末情報送信部４０１は、プリンタ装置３０００に携帯端末装置４０００からの情報を図示しないネットワークなどを介して送信する部分である。地図情報受信部４０２は、プリンタ装置３０００から送信された地図情報を図示しないネットワークなどを介して受信する部分である。
【００５２】
制御部４０３は、図示しない、プログラムＲＯＭとマイクロプロセッサとを含み、プログラムＲＯＭに予め格納されている制御プログラムをマイクロプロセッサが実行し、携帯端末装置４０００全体を制御する部分である。特に本実施例では、データ線路で接続される上記各部分を制御して本実施例の目的を達成させるコンピュータ制御手段である。
以上説明したプリンタ装置３０００、及び携帯端末装置４０００は以下のように動作する。
【００５３】
〈動作〉の説明
図１２は、実施例２のプリンタ装置の動作フローチャート（その１）である。
操作者が検索キーとして住所を入力する際のプリンタ装置３０００の動作について図１１を併用し、更に既に説明した図面の説明を挿入しながらステップＳ２−１からステップＳ２−９までステップ順に詳細に説明する。
【００５４】
ステップＳ２−１
操作者が検索キー入力部１００ａを用いて検索対象の住所を入力する。ここでは、実施例１と同様に、操作者が図５の表示に基づいて、検索する住所の都道府県名、市町村名、町名、番地名を入力する。
【００５５】
ステップＳ２−２
制御部３０３は、入力された住所と、入力された住所と、住所情報テーブル１０１ａ１（図２）内の住所とを照合し、目的地として入力された住所の位置座標１０１ａ２（図２）を取得する。
【００５６】
ステップＳ２−３
制御部３０３は、目的地の位置座標１０１ａ２（図２）を中心とした任意の縮尺の地図を地図データ１０１ｃから検索する。
【００５７】
ステップＳ２−４
制御部３０３は、検索結果を表示部１００ｂに表示する。表示結果は既に実施例１で説明したようにその一例は図６に示される。
【００５８】
ステップＳ２−５
操作者が図６の縮尺入力バーにより縮尺を変更した場合には、ステップＳ２−３へ戻って地図情報の再検索が実行され、縮尺を変更しない場合にはステップＳ２−６へ進む。
【００５９】
ステップＳ２−６
操作者により所望する地図が検索され、図６の印刷実行ボタンが押下されると、制御部３０３は、地図に含まれる任意の数のランドマークの中で目的地に近いものから順にランドマーク情報をランドマーク情報テーブル１０１ｂ（図３）から検索する。このステップの詳細は実施例１における図８と全く同様である。
【００６０】
ステップＳ２−７
制御部３０３は、検索が終了すると初めに検索キー入力部１００ａから入力された住所１０１ａ１（図２）とそれに対応する位置座標１０１ａ２（図２）と、ランドマーク情報とを二次元バーコード変換部１０２へ送出する。
【００６１】
ステップＳ２−８
制御部３０３は、二次元バーコード変換部１０２から二次元配列されたバーコードを受け入れて、表示部１００ｂに表示された地図に、地図上に存在するランドマーク名をそれぞれの位置座標に追記したものと、二次元配列されたバーコードとを合成して印刷データを生成する。
【００６２】
ステップＳ２−９
制御部３０３は印刷データを出力部１０３に送出して印刷実行させ、フローを終了する。ここで印刷出力される地図は既に説明した図７と同様である。
【００６３】
図１３は、実施例２の携帯端末装置の動作フローチャート（その１）である。
操作者が携帯端末装置４０００を用いてプリンタ装置３０００が印刷出力した地図から情報を読み取る動作について図１１を併用し、ステップＳ２−１１からステップＳ２−１５までステップ順に説明する。
【００６４】
ステップＳ２−１１
制御部４０３は、二次元バーコード読み取り部２０１を制御し、印刷出力された地図から二次元配列されたバーコードを読み込む。
【００６５】
ステップＳ２−１２
制御部４０３は、二次元バーコード変換部２０２を制御し、二次元配列されたバーコードをテキストデータに変換する。
【００６６】
ステップＳ２−１３
制御部４０３は、変換された二次元配列されたバーコードから、目的地に関する情報（住所、位置座標）、及び地図の縮尺を、図示しないネットワークを介して携帯端末装置４０００からプリンタ装置３０００装置に携帯端末情報を送信するために必要なプリンタの情報を取得する。
【００６７】
ステップＳ２−１４
制御部４０３は、端末位置情報取得部２０３により緯度、経度より構成される現在の携帯端末装置４０００の位置座標を取得する。
【００６８】
ステップＳ２−１５
制御部４０３は、現在の位置座標を取得した後、携帯端末情報送信部４０１によって目的地に関する情報（住所、位置座標）、地図の縮尺、及び現在の携帯端末装置４０００の位置座標を、図示しないネットワークを介してプリンタ装置３０００へ送信してフローを終了する。
【００６９】
図１４は、実施例２のプリンタ装置の動作フローチャート（その２）である。
上記ステップＳ２−１５で携帯端末装置４０００からの要求を受信し、返信する動作について図１１を併用し、更に必要な図面の説明を挿入しながらステップＳ２−２１からステップＳ２−２６までステップ順に詳細に説明する。
【００７０】
ステップＳ２−２１
携帯端末情報受信部３０１は、図示しないネットワークを介して、携帯端末情報送信部４０１によって送信された目的地に関する情報（住所、位置座標）、地図の縮尺、現在の携帯端末の位置座標を受信する。
【００７１】
ステップＳ２−２２
制御部３０３は、目的地位置座標と縮尺を取得する。
【００７２】
ステップＳ２−２３
制御部３０３は、地図データ１０１ｃを利用して地図の検索を行う。
【００７３】
ステップＳ２−２４
操作者が所望するの地図が検索され、図６の印刷実行ボタンが押下されると、制御部３０３は、地図に含まれる任意の数のランドマークの中で目的地に近いものから順にランドマーク情報をランドマーク情報テーブル１０１ｂ（図３）から検索する。このステップの詳細は実施例１における図８と全く同様である。
【００７４】
ステップＳ２−２５
地図が検索されたら、制御部３０３は携帯端末装置４０００の現在の位置座標を地図上にマークし地図上のランドマークのランドマーク名も追記し送信用地図とする。
【００７５】
ステップＳ２−２６
携帯端末情報送信部４０１は、図示しないネットワークを介してステップＳ２−２５で生成した送信用地図を携帯端末装置４０００へ送信してフローを終了する。ここで送信用地図の一例について説明する。
【００７６】
図１５は、送信用地図の説明図である。
図に示すように送信用地図は、携帯端末装置４０００からの要求に基づいて縮尺が定められ、目的地、ランドマーク名、及び携帯端末装置４０００の現在の位置が表示されている。
【００７７】
図１６は、実施例２の携帯端末装置の動作フローチャート（その２）である。
操作者が携帯端末装置４０００を用いてプリンタ装置３０００が印刷出力した地図から情報を読み取る動作について図１１を併用し、ステップＳ２−３１からステップＳ２−３２までステップ順に説明する。
【００７８】
ステップＳ２−３１
地図情報受信部４０２は、図示しないネットワークを介して送信用地図情報（図１７）を受信する。
【００７９】
ステップＳ２−３２
制御部４０３は、送信用地図情報（図１７）を表示部２０４に表示してフローを終了する。
【００８０】
〈効果〉の説明
以上説明したように、本実施例によれば、携帯端末装置の現在位置と目的地、及び各ランドマークとを含む目的地周辺の地図を携帯端末装置からネットワークを介して取得することが可能になる。従って、目的地を目指して進行中の操作者が、目的地に至る途中でネットワークを介してこの地図を取得することにより、実施例１の効果に加え、より一層目的地に到達することが容易になるという効果を得る。
【産業上の利用可能性】
【００８１】
上記実施例では、本発明をプリンタ装置に適用した例について説明したが、本発明はこの例に限定されるものではない。即ち、画像を形成する装置なら複写機、ＦＡＸ、カーナビゲーション装置等であってもよい。
【図面の簡単な説明】
【００８２】
【図１】実施例１の地図情報出力システムのブロック構成図である。
【図２】住所情報テーブルの説明図である。
【図３】ランドマーク情報テーブルの説明図である。
【図４】実施例１のプリンタ装置の動作フローチャートである。
【図５】入力画面の説明図である。
【図６】検索結果表示例の説明図である。
【図７】印刷出力される地図の説明図である。
【図８】実施例１のランドマーク検索処理の動作フローチャートである。
【図９】実施例１の携帯端末装置の動作フローチャートである。
【図１０】現在地から目的地までの距離・方角表示の説明図である。
【図１１】実施例２の地図情報出力システムのブロック構成図である。
【図１２】実施例２のプリンタ装置の動作フローチャート（その１）である。
【図１３】実施例２の携帯端末装置の動作フローチャート（その１）である。
【図１４】実施例２のプリンタ装置の動作フローチャート（その２）である。
【図１５】送信用地図の説明図である。
【図１６】実施例２の携帯端末装置の動作フローチャート（その２）である。
【符号の説明】
【００８３】
１００    操作パネル
１００ａ    検索キー入力部
１００ｂ    表示部
１０１    地図情報格納部
１０１ａ    住所情報テーブル
１０１ｂ    ランドマーク情報テーブル
１０１ｃ    地図データ
１０２    二次元バーコード変換部
１０３    出力部
１０４    制御部
１０００    プリンタ装置
【図１】
2008249898.tif 000003
【図２】
2008249898.tif 000004
【図３】
2008249898.tif 000005
【図４】
2008249898.tif 000006
【図５】
2008249898.tif 000007
【図６】
2008249898.tif 000008
【図７】
2008249898.tif 000009
【図８】
2008249898.tif 000010
【図９】
2008249898.tif 000011
【図１０】
2008249898.tif 000012
【図１１】
2008249898.tif 000013
【図１２】
2008249898.tif 000014
【図１３】
2008249898.tif 000015
【図１４】
2008249898.tif 000016
【図１５】
2008249898.tif 000017
【図１６】
2008249898.tif 000018